(57)【要約】【課題】本発明は、デンタル・インプラントのための支台に関する。【解決手段】本発明の支台２０は、支柱部２１と、中間部２２と、ヘッド部２３と、少なくとも１つの第１の部分２４、２５とを備える。支柱部２１は、長手方向軸に沿って延びている。中間部２２は、支柱部上に形成され、中央セクション及び周辺セクションを有する。ヘッド部２３は、中間部２２の中央セクション上に形成され、長手方向軸に沿って延びている。第１の部分２４、２５は、中間部２２の周辺セクション上に形成され、長手方向軸に対応する第１の角度を有する少なくとも１つの第１の方向に沿って延びている。本発明によれば、支台は、後方の歯冠に対して一層大きい金属支持及びかみ合い係合を提供することができる。【選択図】図２Ｂ
2006346446.tif 000002
【特許請求の範囲】
【請求項１】
デンタル・インプラントのための支台であって、
長手方向軸に沿って延びる支柱部と、
支柱部上に形成され、中央セクション及び周辺セクションを有する中間部と、
中間部の中央セクション上に形成され、長手方向軸に沿って延びるヘッド部と、
中間部の周辺セクション上に形成され、長手方向軸に対応する第１の角度を有する少なくとも１つの第１の方向に沿って延びる、少なくとも１つの第１の部分と、
を備えた支台。
【請求項２】
ヘッド部は、支柱セクション及び球形ヘッドを備え、該球形ヘッドは、支柱セクション上に形成される請求項１に記載の支台。
【請求項３】
第１の部分は、板状構造である請求項１に記載の支台。
【請求項４】
第１の部分は、板状構造を貫通する少なくとも１つの孔を備える請求項３に記載の支台。
【請求項５】
中間部の周辺セクション上に形成され、長手方向軸に対応する第２の角度を有する少なくとも１つの第２の方向に沿って延びる、少なくとも１つの第２の部分をさらに備えた請求項１に記載の支台。
【請求項６】
第２の部分は、棒状構造である請求項５に記載の支台。
【請求項７】
デンタル・インプラントのための支台であって、
長手方向軸に沿って延びる支柱部と、
支柱部上に形成される中間部と、
中間部上に形成されるヘッド部であって、該ヘッド部を貫通する少なくとも１つの孔を有する前記ヘッド部と、
を備えた支台。
【請求項８】
ヘッド部は、板状構造である請求項７に記載の支台。
【請求項９】
ヘッド部は、長手方向軸に対応する第１の角度を有する第１の方向に沿って延びる請求項７に記載の支台。
【請求項１０】
ヘッド部は、６度よりも小さいテーパ角を有するテーパ形状として形成される請求項７に記載の支台。
【請求項１１】
ヘッド部は、非テーパ形状として形成される請求項７に記載の支台。
【請求項１２】
デンタル・インプラントのための支台であって、
長手方向軸に沿って延びる支柱部と、
支柱部上に形成され、中央セクション及び周辺セクションを有する中間部と、
中間部の中央セクション上に形成され、長手方向軸に沿って延びるシャフトと、
シャフト上に装着された延長部であって、中間部の周辺セクション上に配置され、かつ長手方向軸に対応する第１の角度を有する少なくとも１つの第１の方向に沿って延びる、少なくとも１つの第１の部分を有する前記延長部と、
シャフト上に装着されたヘッド部と、
を備えた支台。
【請求項１３】
シャフトは、第１のセクション及び第２のセクションを備え、第２のセクションは、第１のセクション上に形成される請求項１２に記載の支台。
【請求項１４】
延長部は、さらに、ベースを備え、該ベースは、シャフトの第１のセクション上に装着するための開口を有する請求項１３に記載の支台。
【請求項１５】
第１の部分は、ベース上に形成され、かつ板状構造である請求項１４に記載の支台。
【請求項１６】
第１の部分は、板状構造を貫通する少なくとも１つの孔を備えた請求項１５に記載の支台。
【請求項１７】
延長部は、さらに、ベース上に形成されて長手方向軸に対応する第２の角度を有する少なくとも１つの第２の方向に沿って延びる、少なくとも１つの第２の部分を備える請求項１４に記載の支台。
【請求項１８】
第２の部分は、棒状構造である請求項１７に記載の支台。
【請求項１９】
ヘッド部は、支柱セクションと、駆動ヘッドと、収容スロットとを備え、該収容スロットは、シャフトの第２のセクション上に装着するために用いられ、駆動ヘッドは、支柱セクション上に形成され、そして支柱セクションは、ベース上に装着される請求項１４に記載の支台。
【発明の詳細な説明】
【技術分野】
【０００１】
本発明は支台に関し、特に、固定テーパまたは他の非ねじ接続を採用したデンタル・インプラント（人工歯根）のための支台に関するものである。
【背景技術】
【０００２】
固定テーパまたは非ねじ接続は、接続のために制限されない方向の特性を有する。従って、インプラントに接続する前の支台上の歯冠モールドは、臨床業務のために実用可能である。一例は、Ｂｉｃｏｎの一体化された支台歯冠（ＩＡＣ）である。Ｂｉｃｏｎは、多くの歯科医によって大いに尊重されている固定テーパ接続を採用するデンタル・インプラント・システムを所有している。ＩＡＣは、実際、Ｂｉｃｏｎの業績である。支台にポリセラミック（ｐｏｌｙｃｅｒａｍｉｃ）材料を直接溶融することにより、ＩＡＣは、歯科医が使用するのに簡単かつ便利であり、患者は、ポリセラミック材料の優位性を認識する。ポリセラミック材料は、順応性を有する。ポリセラミック材料に対し一層多くの空間を提供することにより、ＩＡＣは、大いに順応性を呈することができる。順応性は、デンタル・インプラント学において、最も望まれるものである。しかし、ＩＡＣのためのＢｉｃｏｎの支台は、欠点が無い分けではない。それは、ポリセラミック材料に対し充分な金属支持及びかみ合い係合を提供せず、このことは、ＩＡＣの破損につながり得る。
【０００３】
図１を参照すると、従来の一体化された支台歯冠１０は、支台１１と歯冠１２とを備えている。支台１１は、支柱部１１１と、中間部１１２と、ヘッド部１１３とを供えている。支柱部１１１は、部分的に、インプラントに接続されるために用いられる。中間部１１２は、支柱部１１１上に形成される。ヘッド部１１３は、中間部１１２上に形成される。図1に示される支台１１は、基本的に、インプラントに接続されるべき従来の支台の型のものであり、その後で、印象が取られ、最後に、歯冠（またはプロテーゼもしくは義歯）がその上にセメント固定される。しかしながら、上述したように、ヘッド部１１３は、６度より大きいテーパ角を有するテーパ（先細り）形状として形成されるので、従来の一体化された支台歯冠１０は、ポリセラミック材料に対する充分な金属支持及びかみ合いを提供することができず、このことは、従来の一体化された支台歯冠１０の破損につながり得る。
【発明の開示】
【発明が解決しようとする課題】
【０００４】
従って、上述の問題を解決するような支台を提供することが必要である。
【課題を解決するための手段】
【０００５】
本発明の１つの目的は、デンタル・インプラントのための支台を提供することである。本発明の支台は、支柱部と、中間部と、ヘッド部と、少なくとも１つの第１の部分とを備えている。支柱部は、長手方向軸に沿って延びる。中間部は、支柱部上に形成されて、中央セクション及び周辺セクションを有している。ヘッド部は、中間部の中央セクション上に形成され、長手方向軸に沿って延びる。第１の部分は、中間部の周辺セクション上に形成され、長手方向軸に対応する第１の角度を有する少なくとも１つの第１の方向に沿って延びている。
【０００６】
本発明によれば、第１の部分は、長手方向軸に対応する第１の角度を有する第１の方向に沿って延びているので、支台は、後方の歯冠（ｐｏｓｔｅｒｉｏｒ  ｃｒｏｗｎ：奥の方の歯用の歯冠）に対して一層大きい金属支持を提供することができる。第１の角度は、後方の歯冠の形状に従って調節されることができる。さらに、第１の部分は、後方の歯冠との一層大きいかみ合い係合を提供するよう第１の部分を貫通する少なくとも１つの孔を備えている。
【０００７】
本発明のもう１つの目的は、デンタル・インプラントのための支台を提供することである。本発明の支台は、支柱部と、中間部と、ヘッド部とを備えている。支柱部は、長手方向軸に沿って延びている。中間部は、支柱部上に形成される。ヘッド部は、中間部上に形成され、ヘッド部を貫通する少なくとも１つの孔を有している。
【０００８】
本発明によれば、ヘッド部は、前方の歯冠（ａｎｔｅｒｉｏｒ  ｃｒｏｗｎ：前歯用の歯冠）と一層大きいかみ合い係合を提供するようヘッド部を貫通する少なくとも１つの孔を備えている。さらに、ヘッド部は、非テーパ形状として形成されるか、または６度よりも小さいテーパ角を有するテーパ（先細り）形状として形成され、それにより、支台は、前方の歯冠に対して一層大きい金属支持を提供することができる。
【発明を実施するための最良の形態】
【０００９】
図２Ａ及び図２Ｂを参照すると、本発明の第1の実施形態により、支台２０は、支柱部２１と、中間部２２と、ヘッド部２３と、少なくとも１つの第1の部分２４、２５とを備えている。支柱部２１は、長手方向軸に沿って延びている。中間部２２は、支柱部２１上に形成され、中央セクションと周辺セクションとを有している。ヘッド部２３は、中間部２２の中央セクション上に形成され、同じ長手方向軸に沿って延びる。ヘッド部２３は、支柱セクション２３１と、球形ヘッド２３２とを備え、球形ヘッド２３２は、支柱セクション２３１上に形成される。
【００１０】
第1の部分２４及び２５は、中間部２２の周辺セクション上に形成され、図２Ｂに示すように、長手方向軸に対応する第1の角度θを有する少なくとも１つの第1の方向に沿って延びている。換言すれば、第1の部分２４は、中間部２２の周辺セクションから外方に向かって延びている。第1の角度θは、後方の歯冠２８の形状に従って調節され得る。従って、支台２０は、後方の歯冠２８に対して一層大きい金属支持及びかみ合い係合を提供することができる。後方の歯冠２８の材料は、ポリセラミック、樹脂、グラスアイオノマまたは他の材料であって良い。
【００１１】
第1の部分２４は、図示のための一例として取られている。第1の部分２４は、第1の長さを有する板状構造であり、第1の部分２４を近遠心的（ｍｅｓｉｏ−ｄｉｓｔａｌｌｙ）に貫通した２つの孔２４１及び２４２を備えている。後方の歯冠２８が支台２０上にモールドされるとき、支台２０と後方の歯冠２８との間に一層大きい金属支持及びかみ合い係合が存在する。
【００１２】
支台２０は、さらに、中間部２２の周辺セクション上に形成されかつ長手方向軸に対応する第２の角度を有した少なくとも１つの第２の方向に沿って延びている、少なくとも１つの第２の部分２６、２７を備えている。第２の部分２６は、第２の長さを有する棒状構造である。第１の部分の第1の長さは、通常、第２の部分の第２の長さよりも長い。第２の部分は、後方の歯冠２８に対して他側の金属支持を提供することができる。
【００１３】
図３Ａ及び図３Ｂを参照すると、本発明の第２の実施形態により、本発明の支台３０は、支柱部３１と、中間部３２と、ヘッド部３３とを備えている。支柱部３１は、長手方向軸に沿って延びている。中間部３２は、支柱部３１上に形成される。ヘッド部３３は、中間部３２上に形成され、非テーパ形状として形成される。すなわち、ヘッド部３３の上部セクションの幅は、ヘッド部３３の底セクションの幅に等しいか、それより大きい。従って、支台３０は、破損した前方の歯冠を阻止するように前方の歯冠３８のための一層大きい金属支持を提供することができる。その上、ヘッド部３３は、６度よりも小さいテーパ角を有するテーパ形状として形成され得る。
【００１４】
ヘッド部３３は、長手方向軸に対応する第１の角度を有する第１の方向に沿って延びている。第１の角度は、前方の歯冠３８の形状に従って調節され得る。ヘッド部３３は、口側−舌側方向（ｂｕｃｃａｌ−ｌｉｎｇｕａｌｌｙ）に貫通した２つの孔３３１及び３３２を備えている板状構造である。前方の歯冠３８が支台３０上にモールドされるとき、支台３０と前方の歯冠３８との間に一層大きいかみ合い係合が存在する。
【００１５】
図４を参照すると、本発明の第３の実施形態により、支台４０は、支柱部４１と、中間部４２と、シャフト４３と、延長部４４と、ヘッド４５と、を備えている。支柱部４１は、長手方向軸に沿って延びている。中間部４２は、支柱部４１上に形成されて、中央セクション及び周辺セクションを有している。
【００１６】
シャフト４３は、中間部４２の中央セクション上に形成され、長手方向軸に沿って延びている。シャフト４３は、第１のセクション４３１と、第２のセクション４３２とを備えており、第２のセクション４３２は、第１のセクション４３１上に形成される。第１のセクション４３１は、六角形状であって良く、例えば、六角ナットであって良い。第２のセクション４３２は、円筒形状であり、第２のセクション４３２の外側壁上にはねじが存在する。
【００１７】
延長部４４は、シャフト４３上に装着される。延長部４４は、ベース４４１と、少なくとも１つの第１の部分４４３、４４４と、少なくとも１つの第２の部分４４５、４４６とを備えている。ベース４４１は、シャフト４３の第１のセクション４３１上に装着するための開口４４２を有している。開口４４２の形状は、延長部４４がシャフト４３上に固定され得るように、第１のセクション４３１の形状に対応している。第１の部分４４３、４４４は、ベース４４１上に形成され、各第１の部分は、板状構造である。第１の部分は、該板状構造を貫通する少なくとも１つの孔を備えている。第１の部分４４３、４４４は、中間部４２の周辺セクション上に配置され、長手方向軸に対応する第１の角度を有する少なくとも１つの第１の方向に沿って延びている。
【００１８】
第２の部分４４５、４４６は、ベース４４１上に形成され、長手方向軸に対応する第２の角度を有する少なくとも１つの第２の方向に沿って延びている。第２の部分は、棒状構造である。第３の実施形態における第１の部分及び第２の部分の構造は、図２Ａに示された第１の実施形態における第１の部分及び第２の部分の構造と類似している。
【００１９】
延長部４４がシャフト４３上に装着された後、延長部４４は、水平方向に固定され得る。延長部４４を垂直方向にさらに固定するために、ヘッド部４５が、延長部４４及びシャフト４３上に装着するために用いられる。ヘッド部４５は、支柱セクション４５１と、駆動ヘッド４５２と、収容スロット４５３とを備えている。収容スロット４５３は円筒形状であり、収容スロット４５３の内側壁上にはねじが存在し、それにより、収容スロット４５３は、シャフト４３の第２のセクション４３２上に装着するために用いられることができる。駆動ヘッド４５２は、支柱セクション４５１上に形成され、工具に駆動ヘッド４５２を駆動させるために、六角形状、例えば、六角ヘッドであって良い。支柱セクション４５１は、開口４４２よりも大きい外部直径を有しており、支柱セクション４５１は、ベース４４１上に装着される。従って、ヘッド部４５は、延長部４４を垂直方向に固定することができる。
【００２０】
第３の実施形態における支台４０の全構造は、第１の実施形態における支台２０の構造と類似しているので、支台４０も、後方の歯冠４８のための一層大きい金属支持及びかみ合い係合を提供することができる。さらに、本発明の第３の実施形態によれば、延長部４４及びヘッド部４５は、独立して製造されることができ、次に、支台４０を形成するよう容易に組み立てられる。
【００２１】
本発明の幾つかの実施形態が示されかつ説明されてきたけれども、種々の変更及び改良が当業者によって行われることができる。従って、本発明の実施形態は、制限的ではなく、説明的な意味で記載されてきている。本発明は、示された特定の形態に制限され得るものではなく、本発明の精神並びに範囲を維持するすべての変更は、特許請求の範囲に限定された範囲内にあるものであると意図されている。
【図面の簡単な説明】
【００２２】
【図１】点線で示された後方の歯冠を有する従来の一体化された支台歯冠を示す前面図である。
【図２Ａ】本発明の第１の実施形態による支台を示す斜視図である。
【図２Ｂ】本発明の第１の実施形態による、点線で示された後方の歯冠を有する支台を示す前面図である。
【図３Ａ】本発明の第２の実施形態による支台を示す斜視図である。
【図３Ｂ】本発明の第２の実施形態による、点線で示された前方の歯冠を有する支台を示す前面図である。
【図４】本発明の第３の実施形態による、点線で示された後方の歯冠を有する支台を示す前面図である。
【符号の説明】
【００２３】
２０      支台
２１      支柱部
２２      中間部
２３      ヘッド部
２４、２５      第１の部分
２３１      支柱セクション
２３２      球形ヘッド
２８      後方の歯冠
２４１、２４２      孔
２６、２７      第２の部分
【図１】
2006346446.tif 000003
【図２Ａ】
2006346446.tif 000004
【図２Ｂ】
2006346446.tif 000005
【図３Ａ】
2006346446.tif 000006
【図３Ｂ】
2006346446.tif 000007
【図４】
2006346446.tif 000008